(57)【要約】【課題】吊り下げ用タブを別個に取り付けることなく吊り下げ用フックに吊り下げて陳列でき、しかも低価格で製造し得る情報媒体収容ケースを提供する。【解決手段】ケース本体２とケース本体２の外面に配設されたインデックスカバー３とを備えてケース本体２内に情報媒体を収容可能に構成されると共にケース本体２およびインデックスカバー３の間に外面に沿わせてインデックスシート６を収容可能に構成され、インデックスカバー３は、カバー本体３１と吊り下げタブ３２とが一体的に形成されて構成されている。【選択図】図４
2007320643.tif 000002
【特許請求の範囲】
【請求項１】
ケース本体と当該ケース本体の外面に配設されたインデックスカバーとを備えて当該ケース本体内に情報媒体を収容可能に構成されると共に当該ケース本体および当該インデックスカバーの間に前記外面に沿わせてインデックスシートを収容可能に構成され、
前記インデックスカバーは、カバー本体と吊り下げ用タブとが一体的に形成されて構成されている情報媒体収容ケース。
【請求項２】
前記インデックスカバーは、前記ケース本体の外面に配設された状態において当該ケース本体の外縁部から突出するように前記吊り下げ用タブが前記カバー本体の縁部に形成されて構成されている請求項１記載の情報媒体収容ケース。
【請求項３】
前記吊り下げ用タブの基端部にミシン目状の切り込みが形成されている請求項１または２記載の情報媒体収容ケース。
【請求項４】
前記吊り下げ用タブには、吊り下げ用フックの挿通を許容する挿通孔を形成するための切り込みが形成されている請求項１から３のいずれかに記載の情報媒体収容ケース。
【発明の詳細な説明】
【技術分野】
【０００１】
本発明は、情報媒体の収容が可能に構成された情報媒体収容ケースに関するものである。
【背景技術】
【０００２】
この種の情報媒体収容ケースとして、ビデオテープカセットを収容可能に構成された陳列ケースが特開平７−１９１６１０号公報に開示されている。この陳列ケースは、樹脂材料を用いてブック形に形成されたビデオテープカセット用ハードケース（以下、「ハードケース」ともいう）と、ハードケースの外面に配設された透明なビニールシート（インデックスカバー）とを備え、ビデオタイトル等が印刷されたカバーシート（インデックスシート）をハードケースとビニールシートとの間に挿入するようにして収容可能に構成されている。この場合、この陳列ケースは、レンタル業務用のビデオテープカセットを収容対象としており、陳列棚に並べて陳列した状態において、陳列棚から陳列ケースを取り出すことなく、「貸出可能」および「貸出中」のいずれであるかを認識可能な表示部が設けられている。
【特許文献１】特開平７−１９１６１０号公報（第２−３頁、図１）
【発明の開示】
【発明が解決しようとする課題】
【０００３】
ところが、従来の陳列ケースには、以下の問題点がある。すなわち、従来の陳列ケースでは、陳列棚に並べて陳列するのを想定した構成が採用されている。したがって、この陳列ケースを吊り下げ用フックに吊り下げて陳列する場合には、陳列ケースとは別個に形成した吊り下げ用タブを陳列ケースに取り付ける必要がある。この場合、複数の陳列ケースに吊り下げ用タブをそれぞれ取り付ける作業（一例として、粘着テープや接着剤を用いて陳列ケースに吊り下げ用タブを貼り付ける作業）が煩雑となっている。また、各陳列ケースに対して吊り下げ用タブを位置ずれさせることなく取り付けるのは、非常に困難である。一方、吊り下げ用タブの取り付け作業を機械化することにより、複数の陳列ケースに対して短時間で位置ずれさせることなく吊り下げ用タブを取り付けることが可能となる。しかしながら、自動機の導入コストの分だけ陳列ケースの価格が高騰するおそれがある。
【０００４】
さらに、従来の陳列ケースでは、陳列ケースに取り付けた吊り下げ用タブによってビニールシート（インデックスカバー）内のカバーシート（インデックスシート）の視認が阻害されるおそれもある。このように、従来の陳列ケースでは、吊り下げ用フックに吊り下げて陳列する場合において、様々な問題が生じている。
【０００５】
本発明は、かかる問題点に鑑みてなされたものであり、吊り下げ用タブを別個に取り付けることなく吊り下げ用フックに吊り下げて陳列でき、しかも低価格で製造し得る情報媒体収容ケースを提供することを主目的とする。
【課題を解決するための手段】
【０００６】
上記目的を達成すべく、本発明に係る情報媒体収容ケースは、ケース本体と当該ケース本体の外面に配設されたインデックスカバーとを備えて当該ケース本体内に情報媒体を収容可能に構成されると共に当該ケース本体および当該インデックスカバーの間に前記外面に沿わせてインデックスシートを収容可能に構成され、前記インデックスカバーは、カバー本体と吊り下げ用タブとが一体的に形成されて構成されている。
【０００７】
また、本発明に係る情報媒体収容ケースは、前記ケース本体の外面に配設された状態において当該ケース本体の外縁部から突出するように前記吊り下げ用タブが前記カバー本体の縁部に形成されて前記インデックスカバーが構成されている。
【０００８】
さらに、本発明に係る情報媒体収容ケースは、前記吊り下げ用タブの基端部にミシン目状の切り込みが形成されている。
【０００９】
また、本発明に係る情報媒体収容ケースは、吊り下げ用フックの挿通を許容する挿通孔を形成するための切り込みが前記吊り下げ用タブに形成されている。
【発明の効果】
【００１０】
本発明に係る情報媒体収容ケースによれば、カバー本体と吊り下げ用タブとを一体的に形成してインデックスカバーを構成したことにより、ケース本体を吊り下げるための吊り下げ用タブを別個に形成して取り付けることなく、インデックスカバーのカバー本体と一体的に形成されている吊り下げ用タブを用いて情報媒体収容ケースを吊り下げて陳列することができる。したがって、吊り下げ用タブの取り付け作業を不要にできる分だけ、情報媒体収容ケースの製造コストを低減することができると共に、手作業で吊り下げ用タブを取り付けた構成とは異なり、ケース本体に対する吊り下げ用タブの配設位置を均一化することができる。また、例えば、カバー本体とは別体に形成した吊り下げ用タブをカバー本体に接着する構成とは異なり、ケース本体とカバー本体との間に挿入したインデックスシートが吊り下げ用タブによって隠されてその視認が阻害される事態が生じるのを回避して、視認性の向上を図ることができる。
【００１１】
また、本発明に係る情報媒体収容ケースによれば、ケース本体の外面に配設した状態においてケース本体の外縁部から突出するように吊り下げ用タブを形成してインデックスカバーを構成したことにより、吊り下げ用フックに情報媒体収容ケースを吊り下げる吊り下げ作業を容易に行うことができる。
【００１２】
さらに、本発明に係る情報媒体収容ケースによれば、吊り下げ用タブの基端部にミシン目状の切り込みを形成したことにより、情報媒体収容ケースの吊り下げが不要となったときに、ハサミ等の工具を用いることなく、吊り下げ用タブを引っ張るだけでカバー本体から容易に切り離すことができる。
【００１３】
また、本発明に係る情報媒体収容ケースによれば、吊り下げ用フックの挿通を許容する挿通孔を形成するための切り込みを形成したことにより、挿通孔に吊り下げ用フックを挿通させた状態において、切り込みの内側部分（挿通孔の平面形状と同じ小片）が挿通孔の周囲の吊り下げ用タブと一体化した状態が維持される結果、情報媒体収容ケースを吊り下げるために挿通孔を形成する際に、挿通孔の形成による小さなごみの発生を回避することができる。
【発明を実施するための最良の形態】
【００１４】
以下、本発明に係る情報媒体収容ケースの最良の形態について、添付図面を参照して説明する。
【００１５】
図１に示す情報媒体収容ケース１（以下、「収容ケース１」ともいう）は、本発明における情報媒体の一例である光ディスク５と、光ディスク５の記録内容等を印刷したインデックスシート６とを収容可能に構成されている。具体的には、収容ケース１は、内部空間に光ディスク５を収容可能に構成された箱形のケース本体２と、ケース本体２の外面に沿わせてインデックスシート６を収容するインデックスカバー３とを備えている。また、この収容ケース１は、光ディスク５およびインデックスシート６を収容した状態において、一例としてスリーブシュリンク７によって包装された状態で陳列される。
【００１６】
ケース本体２は、図２〜４に示すように、第１ケース２ａ、第２ケース２ｂおよび背板２ｃが樹脂材料（一例として、ポリプロピレン）で一体成形されている。なお、ケース本体２を成形するための樹脂材料は、ポリプロピレンに限定されるものではなく、ポリスチレン、ポリエチレンおよびポリエチレンテレフタレート等の各種樹脂材料を用いて成形することができる。第１ケース２ａは、長方形状の主板１１と、主板１１における各縁部１１ａ〜１１ｃに立設された側板１２とを備えて浅皿状に形成されている。この場合、主板１１の内面中央部には、光ディスク５を保持する保持用爪部（ディスク保持部：図示せず）が形成されている。また、第２ケース２ｂは、長方形状の主板２１と、主板２１における各縁部２１ａ〜２１ｃに立設された側板２２とを備えて浅皿状に形成されている。この第１ケース２ａおよび第２ケース２ｂは、背板２ｃを介して主板１１の縁部１１ｄと主板２１の縁部２１ｄとが連結されて一体成形されている。
【００１７】
インデックスカバー３は、光透過性を有する樹脂材料（一例として、ポリプロピレンでシート状に形成されて、ケース本体２の外面に沿わせてインデックスシート６を収容可能にケース本体２に取り付けられている。この場合、図２〜４に示すように、このインデックスカバー３は、ケース本体２における第１ケース２ａ、第２ケース２ｂおよび背板２ｃを覆う大きさ（インデックスシート６よりも僅かに大きい大きさ）となるように矩形状にカットされたカバー本体３１と、図示しない吊り下げ用フックにケース本体２を吊り下げるための吊り下げ用タブ３２とが一体的に形成されて構成されている。
【００１８】
また、インデックスカバー３は、その縁部３１ｃが第１ケース２ａにおける主板１１の縁部１１ｃに溶着されると共に、その縁部３１ｄが第２ケース２ｂにおける主板２１の縁部２１ｃに溶着されてケース本体２に取り付けられている。なお、ケース本体２に対してインデックスカバー３を取り付ける構成は、溶着に限定されず、例えば接着剤や粘着シートを用いて取り付ける構成を採用することができる。また、カバー本体３１の縁部３１ｃ，３１ｄをケース本体２に溶着する構成に限定されず、例えば、インデックスシート６の挿入を許容するために、縁部３１ａのみを溶着ぜずに、縁部３１ｂ〜３１ｄの３カ所をケース本体２に溶着する構成を採用することもできる。
【００１９】
この場合、この収容ケース１では、カバー本体３１における上側の縁部３１ａに吊り下げ用タブ３２が形成されている。また、インデックスカバー３をケース本体２に溶着した状態では、ケース本体２の上側の一辺（この例では、第１ケース２ａにおける主板１１の縁部１１ａ）からケース本体２の上方向に吊り下げ用タブ３２が突出するようにインデックスカバー３が構成されている。さらに、このインデックスカバー３では、カバー本体３１からの吊り下げ用タブ３２を容易に切り離し可能とするためのミシン目状の切り込み３３がカバー本体３１と吊り下げ用タブ３２との間（吊り下げ用タブ３２の基端部）に形成されている。また、吊り下げ用タブ３２は、収容ケース１の吊り下げ時に吊り下げ用フック（図示せず）を挿通させる挿通孔３２ｂ（図１参照）を形成する円弧状の切り込み３２ａが形成されている。
【００２０】
この収容ケース１の製造に際しては、ケース本体２を射出成形によって形成すると共に、ロール状に巻回されたポリプロピレンを圧断してインデックスカバー３を形成する。この場合、インデックスカバー３の製作に際しては、その平面形状に沿って樹脂フィルムを圧断するのと同時に切り込み３２ａ，３３を形成する。次いで、ケース本体２にインデックスカバー３を溶着して取り付ける。具体的には、まず、図３に示すように、第１ケース２ａおよび第２ケース２ｂを互いに離間させるようにしてケース本体２を展開すると共に、主板１１，２１および背板２ｃの外面に沿わせるようにして同図に一点鎖線で示す位置にインデックスカバー３を載置する。次いで、カバー本体３１の縁部３１ｃ，３１ｄを主板１１，１２の縁部１１ｃ，２１ｃに溶着する。これにより、図４に示すように、収容ケース１が完成する。
【００２１】
一方、完成した収容ケース１に光ディスク５およびインデックスシート６を収容する際には、第１ケース２ａおよび第２ケース２ｂを互いに離間させるようにしてケース本体２を展開した状態において、図４に矢印で示すように、ケース本体２の外面とインデックスカバー３との間にインデックスシート６を挿入する。次いで、第１ケース２ａにおける主板１１の内側に設けられたディスク保持部に光ディスク５を保持させた状態において、図５に示すように、第１ケース２ａに第２ケース２ｂを重ね合わせるようにしてケース本体２を閉じる。これにより、光ディスク５の収容が完了する。
【００２２】
この場合、例えば、光ディスク５等を収容した状態の収容ケース１を販売する際には、図１に示すように、収容ケース１の傷付きを防止するために、透明な樹脂のフィルム（スリーブシュリンク７）で包装する。具体的には、一例として、光ディスク５およびインデックスシート６を収容した状態の収容ケース１を筒状の熱収縮性透明樹脂のフィルムの中に挿入すると共に、図示しない加熱装置（スリーブシュリンク包装機：図示せず）によってフィルムを熱収縮させて収容ケース１の外面にフィルムを密着させる。この際には、同図に示すように、ケース本体２から上向きに突出させられている吊り下げ用タブ３２を開口部７ａから引き出した状態でフィルムを収縮させる。これにより、収容ケース１の包装が完了する。
【００２３】
また、包装が完了した収容ケース１を陳列する際には、吊り下げ用タブ３２における挿通孔３２ｂに吊り下げフックを挿通させることにより、収容ケース１を吊り下げフックに吊り下げる。この際に、この収容ケース１では、吊り下げ用タブ３２に挿通孔３２ｂを形成するための切り込み３２ａが形成されているため、挿通孔３２ｂを形成するための穿孔機等を用いることなく、切り込み３２ａの部位に吊り下げ用フックの先端を押し当てるだけで挿通孔３２ｂを形成することが可能となっている。また、例えば、この収容ケース１を購入した者が陳列棚等に並べて収容ケース１を保管する際には、カバー本体３１のカバー本体３１から吊り下げ用タブ３２を切り離す。この際に、この収容ケース１では、吊り下げ用タブ３２の基端部に切り込み３３が形成されているため、ハサミ等の工具を用いることなく、吊り下げ用タブ３２を引っ張るだけでカバー本体３１から吊り下げ用タブ３２を切り離すことが可能となっている。
【００２４】
このように、この収容ケース１によれば、カバー本体３１と吊り下げ用タブ３２とを一体的に形成してインデックスカバー３を構成したことにより、ケース本体２を吊り下げるための吊り下げ用タブを別個に形成して取り付けることなく、カバー本体３１と一体的に形成されている吊り下げ用タブ３２を用いて収容ケース１を吊り下げて陳列することができる。したがって、吊り下げ用タブの取り付け作業を不要にできる分だけ、収容ケース１の製造コストを低減することができると共に、手作業で吊り下げ用タブを取り付けた構成とは異なり、ケース本体２に対する吊り下げ用タブ３２の配設位置を均一化することができる。また、例えば、カバー本体３１とは別体に形成した吊り下げ用タブをカバー本体３１に接着する構成とは異なり、ケース本体２とカバー本体３１との間に挿入したインデックスシート６が吊り下げ用タブによって隠されてその視認が阻害される事態が生じるのを回避して視認性の向上を図ることができる。
【００２５】
また、この収容ケース１によれば、ケース本体２の外面に配設した状態においてケース本体２の外縁部（この例では、第１ケース２ａにおける主板１１の縁部１１）から突出するように吊り下げ用タブ３２を形成してインデックスカバー３を構成したことにより、吊り下げ用フックに収容ケース１を吊り下げる吊り下げ作業を容易に行うことができる。
【００２６】
さらに、この収容ケース１によれば、吊り下げ用タブ３２の基端部にミシン目状の切り込み３３を形成したことにより、収容ケース１の吊り下げが不要となったときに、ハサミ等の工具を用いることなく、吊り下げ用タブ３２を引っ張るだけでカバー本体３１から容易に切り離すことができる。
【００２７】
また、この収容ケース１によれば、吊り下げ用フックの挿通を許容する挿通孔３２ｂを形成するための円弧状の切り込み３２ａを形成したことにより、挿通孔３２ｂに吊り下げ用フックを挿通させた状態において、切り込み３２ａの内側部分（挿通孔３２ｂの平面形状と同じ小片）が挿通孔３２ｂの周囲の吊り下げ用タブ３２と一体化した状態が維持される結果、収容ケース１を吊り下げるために挿通孔３２ｂを形成する際に、挿通孔の形成による小さなごみの発生を回避することができる。
【００２８】
なお、本発明は、上記した構成に限定されない。例えば、上記の収容ケース１では、第１ケース２ａにおける主板１１の縁部１１ａから吊り下げ用タブ３２が突出するように、カバー本体３１の縁部３１ａに吊り下げ用タブ３２を設けているが、吊り下げ用タブ３２の配設位置はこれに限定されず、例えば、図６に破線で示すように、第１ケース２ａにおける主板１１の縁部１１ｂ，１１ｃ、および第２ケース２ｂにおける主板２１の縁部２１ａ〜２１ｃのいずれかから吊り下げ用タブ３２が突出するようにインデックスカバー３を構成することができる。この例のように、吊り下げ用タブ３２の配設位置を変更した構成においても、上記の収容ケース１と同様にして、吊り下げ用タブの取り付け作業を不要にできる分だけ製造コストを低減することができると共に、ケース本体２に対する吊り下げ用タブ３２の配設位置を均一化することができる。なお、１つの収容ケース当りに設ける吊り下げ用タブ３２の数は、１個に限定されず、２個以上をインデックスカバー３に設ける構成を採用することができる。
【００２９】
また、上記の収容ケース１では、ケース本体２の主板１１，２１および背板２ｃの外面を覆う大きさのカバー本体３１を有するインデックスカバー３をケース本体２に取り付けているが、本発明におけるインデックスカバーの大きさや取り付け位置はこれに限定されない。例えば、図７に示す収容ケース１Ａのように、ケース本体２の主板１１および背板２ｃを覆う大きさのカバー本体３１を有するインデックスカバー３Ａをケース本体２に取り付ける構成を採用することができる。なお、同図および後に参照する図８〜１３では、上記の収容ケース１と同様の構成要素に同一の符号を付して重複する説明を省略する。この収容ケース１Ａでは、カバー本体３１の縁部３１ａ〜３１ｄのいずれか少なくとも１つに吊り下げ用タブ３２を設けることにより、上記の収容ケース１と同様にして、吊り下げ用タブの取り付け作業を不要にできる分だけ製造コストを低減することができると共に、ケース本体２に対する吊り下げ用タブ３２の配設位置を均一化することができる。
【００３０】
さらに、図８に示す収容ケース１Ｂのように、ケース本体２の主板１１，２１および背板２ｃの外面における上側の半分程度を覆う大きさのカバー本体３１を有するインデックスカバー３Ｂをケース本体２に取り付ける構成を採用することができる。この収容ケース１Ｂでは、カバー本体３１の縁部３１ａ，３１ｃ，３１ｄのいずれか少なくとも１つに吊り下げ用タブ３２を設けることにより、上記の収容ケース１，１Ａと同様にして、吊り下げ用タブの取り付け作業を不要にできる分だけ製造コストを低減することができると共に、吊り下げ用タブに対する配設位置の均一化を図ることができる。また、図９に示す収容ケース１Ｃのように、ケース本体２の主板１１および背板２ｃの外面における上側の半分程度を覆う大きさのカバー本体３１を有するインデックスカバー３Ｃをケース本体２に取り付ける構成を採用することができる。この収容ケース１Ｃでは、カバー本体３１の縁部３１ａ，３１ｃ，３１ｄのいずれか少なくとも１つに吊り下げ用タブ３２を設けることにより、上記の収容ケース１，１Ａ，１Ｂと同様にして、吊り下げ用タブの取り付け作業を不要にできる分だけ製造コストを低減することができると共に、ケース本体２に対する吊り下げ用タブ３２の配設位置を均一化することができる。
【００３１】
また、吊り下げ用タブ３２に切り込み３２ａを設けて、この部位を吊り下げ用フックの先端部に押し当てて挿通孔３２ｂを形成する構成について説明したが、本発明における吊り下げ用タブ３２の構成はこれに限定されない。例えば、図１０に示す吊り下げ用タブ３５のように、吊り下げ用フックの挿通を許容する挿通用孔３５ａをインデックスカバー３Ｄの製作時に予め形成しておく構成を採用することができる。この場合、挿通用孔３５ａの形状は、同図に示すような円形に限定されず、楕円形や三角形等の各種の形状で形成することができる。また、図１１に示す吊り下げ用タブ３６のように、吊り下げ用フックの先端部に押し当てるだけで上記の挿通用孔３５ａを形成可能とするために、インデックスカバー３Ｅの製作時において、例えば円形の切り込み３６ａを予め形成しておく構成を採用することができる。
【００３２】
さらに、図１２に示すインデックスカバー３Ｆの吊り下げ用タブ３７のように、吊り下げ用フックの挿通を許容する挿通孔に代えて、溝３７ａを設けて全体として鉤の手状に構成することもできる。この構成によれば、挿通孔に吊り下げ用フックを挿通させて吊り下げる構成とは異なり、例えば吊り下げられている複数の収容ケースのうちから、奥側に吊り下げられている収容ケースを容易に取り外すことができる。また、吊り下げ用タブ３２がケース本体２から突出するようにインデックスカバー３を形成した例について説明したが、図１３の左図に示すインデックスカバー３Ｇのように、カバー本体３１の各縁部３１ａ〜３１ｄよりも内側に吊り下げ用タブ３８を形成すると共に、収容ケースを吊り下げる際には、同図の右図に示すように、カバー本体３１に対して吊り下げ用タブ３８をめくり上げることでケース本体２（一例として、主板１１の縁部１１ａ）から吊り下げ用タブ３８を突出させる構成を採用することもできる。
【００３３】
さらに、本明細書において図面を参照して説明した上記の各吊り下げ用タブ３２，３５〜３８のケース本体２に対する大きさ（幅や長さ）の比は、あくまでも例示であって、その比や大きさ自体が相違したとしても、各吊り下げ用タブ３２，３５〜３８と同様の効果を奏することができる。したがって、情報媒体収容ケースのデザイン性や、吊り下げ用タブに求められる強度を考慮して本発明における吊り下げ用タブの大きさを適宜変更することができる。また、光ディスク５を収容可能に構成した収容ケースを例に挙げて説明したが、本発明に係る情報媒体収容ケースに収容する情報媒体は、光ディスク５に限定されず、光磁気ディスク、磁気ディスク、磁気テープおよびメモリーカード等の各種の情報媒体がこれに含まれる。加えて、吊り下げ用タブ３２等の基端部に切り込み３３を形成した構成を例に挙げて説明したが、切り込み３３を形成することなく、ハサミ等で切断してカバー本体３１から切り離す構成を採用することもできる。
【図面の簡単な説明】
【００３４】
【図１】スリーブシュリンク７によって包装された状態の収容ケース１の外観斜視図である。
【図２】ケース本体２を展開した状態の収容ケース１をインデックスカバー３の取り付け面側から見た平面図である。
【図３】ケース本体２の外面にインデックスカバー３を取り付ける際のケース本体２およびインデックスカバー３の外観斜視図である。
【図４】ケース本体２とインデックスカバー３との間にインデックスシート６を挿入する際の収容ケース１およびインデックスシート６の外観斜視図である。
【図５】ケース本体２内に光ディスク５を収容する際の収容ケース１の外観斜視図である。
【図６】吊り下げ用タブ３２の配設位置の他の実施の形態について説明するための収容ケース１の平面図である。
【図７】ケース本体２を展開した状態の収容ケース１Ａをインデックスカバー３Ａの取り付け面側から見た平面図である。
【図８】ケース本体２を展開した状態の収容ケース１Ｂをインデックスカバー３Ｂの取り付け面側から見た平面図である。
【図９】ケース本体２を展開した状態の収容ケース１Ｃをインデックスカバー３Ｃの取り付け面側から見た平面図である。
【図１０】吊り下げ用タブ３５が形成されたインデックスカバー３Ｄの平面図である。
【図１１】吊り下げ用タブ３６が形成されたインデックスカバー３Ｅの平面図である。
【図１２】吊り下げ用タブ３７が形成されたインデックスカバー３Ｆの平面図である。
【図１３】左図は、カバー本体３１から引き起こす以前の吊り下げ用タブ３８が形成されたインデックスカバー３Ｇの平面図であり、右図は、カバー本体３１から吊り下げ用タブ３８を引き起こした状態のインデックスカバー３Ｇの平面図である。
【符号の説明】
【００３５】
１  情報媒体収容ケース
２  ケース本体
３，３Ａ〜３Ｇ  インデックスカバー
５  光ディスク
６  インデックスシート
３１  カバー本体
３２，３５〜３８  吊り下げ用タブ
３２ａ，３３，３６ａ  切り込み
３２ｂ，３５ａ  挿通孔
３７ａ  溝
【図１】
2007320643.tif 000003
【図２】
2007320643.tif 000004
【図３】
2007320643.tif 000005
【図４】
2007320643.tif 000006
【図５】
2007320643.tif 000007
【図６】
2007320643.tif 000008
【図７】
2007320643.tif 000009
【図８】
2007320643.tif 000010
【図９】
2007320643.tif 000011
【図１０】
2007320643.tif 000012
【図１１】
2007320643.tif 000013
【図１２】
2007320643.tif 000014
【図１３】
2007320643.tif 000015